(57)【要約】【課題】ふとん等の柔らかい被掃除面の吸込口への吸い付きを抑制して使い勝手を向上させることができるふとん用吸込具を提供することを課題とする。【解決手段】下面に吸込口３を有する吸込具ケース４と、吸込具ケース４の一側面の略中央に取付けられ、吸込口３に連通する吸込継手６とを備えたふとん用吸込具において、吸込具ケース４の上面に、吸込具ケース４内へ空気を取り込む開口部１０を形成すると共に、吸込口３に、吸込口３を複数の吸込口３に仕切る仕切壁８を形成する。【選択図】         図６
2005177124.tif 000002
【特許請求の範囲】
【請求項１】
下面に吸込口を有する吸込具ケースと、吸込具ケースの一側面の略中央に取付けられ、吸込口に連通する吸込継手とを備えたふとん用吸込具において、前記吸込具ケースの上面には、吸込具ケース内へ空気を取り込む開口部が形成されていると共に、前記吸込口には、吸込口を複数の吸込口に仕切る仕切壁が形成されていることを特徴とするふとん用吸込具。
【請求項２】
前記仕切壁は、吸込継手と略平行状態になるように形成されていることを特徴とする請求項１記載のふとん用吸込具。
【請求項３】
下面に略矩形の吸込口を有する吸込具ケースと、吸込口に臨む吸込具ケース内に回転自在に配設された回転ブラシと、吸込具ケースの一側面の略中央に取付けられ、吸込口に連通する吸込継手とを備えたふとん用吸込具において、前記吸込具ケースの上面には回転ブラシを回転させるための空気を取り込む開口部が形成され、前記吸込口の短手方向の幅は回転ブラシの径よりも狭くなるように形成されていることを特徴とするふとん用吸込具。
【請求項４】
前記開口部は、吸込口よりも吸込継手側に形成されていることを特徴とする請求項１乃至請求項３の何れか１項に記載のふとん用吸込具。
【請求項５】
前記吸込具ケースは、上面から見て略矩形に形成され、前記開口部は吸込具ケースの長手方向に沿って細長に延設されていると共に、吸込継手側の開口部の短手方向の幅は他端側の開口部の短手方向の幅よりも狭くなるように形成されていることを特徴とする請求項１乃至請求項４の何れか１項に記載のふとん用吸込具。
【請求項６】
前記開口部の短手方向の幅は、吸込継手側から他端側へ向かうに従って漸次広くなるように形成されていることを特徴とする請求項５記載のふとん用吸込具。
【請求項７】
前記回転ブラシは、略筒状の芯体と、芯体の軸方向に沿って外周面に螺旋状に突出形成されると共に先端部に嵌合溝を有する突条と、突条の嵌合溝に嵌合するブラシ体とから構成されていることを特徴とする請求項３記載乃至請求項６の何れか１項に記載のふとん用吸込具。
【請求項８】
前記吸込具ケースの吸込口より前方位置には、吸込具ケースの下部から前方へ突出する突起が形成されていることを特徴とする請求項３乃至請求項７の何れか１項に記載のふとん用吸込具。
【請求項９】
前記吸込具ケースには、その長手方向の両端に回動自在な車輪が設けられ、吸込具ケースと車輪との隙間の少なくとも一部はカバーにより覆われていることを特徴とする請求項１乃至請求項８の何れか１項に記載のふとん用吸込具。
【請求項１０】
前記吸込具ケースは、吸込口が形成された下ケースと、下ケースを上方から覆う上ケースとから形成され、前記カバーは上ケースにより構成されると共に、少なくとも車輪の一部は上ケースにより覆われていることを特徴とする請求項９記載のふとん用吸込具。
【発明の詳細な説明】
【技術分野】
【０００１】
本発明は、電機掃除機用の吸込具に関し、特にふとん等の柔らかい被掃除面を掃除することができるふとん用吸込具に関する。
【背景技術】
【０００２】
従来、ふとん等の柔らかい被掃除面を掃除する電気掃除機の吸込具は、吸込具の吸込口に臨む位置の吸込具内に、被掃除面上に埋没した塵埃等を叩き出す回転清浄体を回転自在に配設し、吸込具の両端に配設された移動促進用の車輪の回動に連動させて回転清掃体を回転させるものが知られている（例えば、特許文献１参照）。
【特許文献１】特開２００３−３８３９５号公報
【発明の開示】
【発明が解決しようとする課題】
【０００３】
しかしながら、ふとん等の柔らかい被掃除面は吸込口に吸い付いてしまい、車輪が配設されているのも関わらず吸込具の移動性に問題が生じて使い勝手が悪くなる欠点があった。
【０００４】
本発明は、このような課題を解決するためになされたものであり、ふとん等の柔らかい被掃除面の吸込口への吸い付きを抑制して使い勝手を向上させることができるふとん用吸込具を提供することを課題とする。
【課題を解決するための手段】
【０００５】
上記課題を解決するための第１の手段は、下面に吸込口を有する吸込具ケースと、吸込具ケースの一側面の略中央に取付けられ、吸込口に連通する吸込継手とを備えたふとん用吸込具において、前記吸込具ケースの上面には、吸込具ケース内へ空気を取り込む開口部が形成されていると共に、前記吸込口には、吸込口を複数の吸込口に仕切る仕切壁が形成されていることを特徴とする。
【０００６】
上記課題を解決するための第１の手段において、前記仕切壁は、吸込継手と略平行状態になるように形成されてもよい。
【０００７】
上記課題を解決するための第２の手段は、下面に略矩形の吸込口を有する吸込具ケースと、吸込口に臨む吸込具ケース内に回転自在に配設された回転ブラシと、吸込具ケースの一側面の略中央に取付けられ、吸込口に連通する吸込継手とを備えたふとん用吸込具において、前記吸込具ケースの上面には回転ブラシを回転させるための空気を取り込む開口部が形成され、前記吸込口の短手方向の幅は回転ブラシの径よりも狭くなるように形成されていることを特徴とする。
【０００８】
上記課題を解決するための第１の手段または第２の手段において、前記開口部は、吸込口よりも吸込継手側に形成されてもよい。
【０００９】
また、上面から見て略矩形に形成され、前記開口部は吸込具ケースの長手方向に沿って細長に延設されていると共に、吸込継手側の開口部の短手方向の幅は他端側の開口部の短手方向の幅よりも狭くなるように形成されてもよい。
【００１０】
また、前記開口部の短手方向の幅は、吸込継手側から他端側へ向かうに従って漸次広くなるように形成されてもよい。
【００１１】
また、前記回転ブラシは、略筒状の芯体と、芯体の軸方向に沿って外周面に螺旋状に突出形成されると共に先端部に嵌合溝を有する突条と、突条の嵌合溝に嵌合するブラシ体とから構成されてもよい。
【００１２】
また、前記吸込具ケースの吸込口より前方位置には、吸込具ケースの下部から前方へ突出する突起が形成されてもよい。
【００１３】
また、前記吸込具ケースには、その長手方向の両端に回動自在な車輪が設けられ、吸込具ケースと車輪との隙間の少なくとも一部はカバーにより覆われてもよい。
【００１４】
また、前記吸込具ケースは、吸込口が形成された下ケースと、下ケースを上方から覆う上ケースとから形成され、前記カバーは上ケースにより構成されると共に、少なくとも車輪の一部は上ケースにより覆われてもよい。
【発明の効果】
【００１５】
本発明の請求項１の構成によると、上ケースに形成されている開口部を介して吸込具ケース内に取り入れた空気により柔らかい被掃除物を吸込口から押戻す力が作用すると共に、吸込口は仕切壁により複数の吸込口に仕切られているため、柔らかい被掃除物が吸込口に吸い付くことを抑制することができる等の効果を奏する。
【００１６】
本発明の請求項２の構成によると、仕切壁は吸込継手と略平行となる位置関係に形成されているため、ふとん用吸込具の操作性を向上させることができる等の効果を奏する。
【００１７】
本発明の請求項３に構成によると、上ケースに形成されている開口部を介して吸込具ケース内に取り入れた空気により回転ブラシが回転するため、柔らかい被掃除物が吸込口に吸い付くことを抑制することができる。また、吸込口の短手方向の幅は、回転ブラシの径よりも狭くなるように形成されているため、柔らかい被掃除物が吸込口に吸い付いて吸込具ケース内へ浸入しようとすることを回転ブラシにより防止することができる等の効果を奏する。
【００１８】
本発明の請求項４の構成によると、開口部は吸込口よりも吸込継手側に形成されているため、開口部を介して吸込具ケース内に取り入れた空気により柔らかい被掃除物が吸込継手側に引張られようとすることを抑制することができる。また、この空気により回転ブラシも吸込継手側から吸込口側へ向けて回転させることができるため、柔らかい被掃除物が吸込継手側に引張られようとすることを確実に抑制することができる等の効果を奏する。
【００１９】
本発明の請求項５の構成によると、開口部の短手方向の幅は吸込継手側が狭く形成されているため、吸込圧が高く吸込風量が多くなる吸込継手側の開口部を絞って吸込継手側での吸込風量を少なくすることができると共に、吸込圧が低い他端側の開口部から吸込まれる風量の低下を抑制することができ、他端側の開口部から吸込まれる空気による柔らかい被掃除物が吸込口に吸い付くことを抑制する作用が低下することを防止することができる等の効果を奏する。
【００２０】
本発明の請求項６の構成によると、開口部を介して吸込具ケース内に取り入れられる空気量を長手方向に対して略均一にすることができ、回転ブラシを円滑に回転させることができると共に、開口部の長手方向のどの位置においても柔らかい被掃除物が吸込口に吸い付くことを抑制することができる等の効果を奏する。
【００２１】
本発明の請求項７の構成によると、被掃除面に接触するのはブラシ体だけであるため、
被掃除面の傷付きを防止することができると共に、ブラシ体の長さを短くすることができ、ブラシ体のコストを低減させることができる等の効果を奏する。
【００２２】
本発明の請求項８の構成によると、ふとん用吸込具の前方を床面に押し付けると共に後方を持ち上げた場合でも、突起によって吸込口の前方と被掃除面との間に隙間を形成することができるため、吸込口の前方から吸込具ケース内へ取り込まれる空気によって、回転ブラシが高速回転することが抑制され、回転ブラシの回転音を低減化することができる等の効果を奏する。
【００２３】
本発明の請求項９の構成によると、吸込具ケースと車輪との間の隙間の一部はカバーによって覆われているため、吸込具ケースと車輪との間の隙間に柔らかい被掃除物が挟み込まれた場合でも、柔らかい被掃除物がこの隙間を覆う上ケースに当接することによって、柔らかい被掃除物が車輪に絡み付くことを防止することができる等の効果を奏する。
【００２４】
本発明の請求項１０の構成によると、上ケースをカバーに兼用することにより構成を簡素化することができる等の効果を奏する。
【発明を実施するための最良の形態】
【００２５】
（第１実施形態）
本発明を実施するための最良の第１実施形態のふとん用吸込具を図１乃至図８に基づいて説明する。
【００２６】
第１実施形態のふとん用吸込具は、上ケース１と下ケース１からなって吸込口３が下ケース１に形成された横長の吸込具ケース４と、吸込具ケース４の吸込口３に臨ませて吸込具ケース４に回転自在に支持された回転ブラシ５と、吸込具ケース４の後面側略中央に上下自在に且つ回転自在に取付けられ、吸込口３に連通する吸込継手６と、吸込具ケース４の長手方向の両端部に回転自在に配設された一対の車輪７とから構成されている（図１、図６参照）。そして、吸込継手６が図示しない延長管やホースを介して掃除機本体に接続されるようになっている。
【００２７】
吸込口３は裏面側から見て略矩状に形成されている。また、吸込口３は吸込口３の短手方向に沿って下ケース１間を連通させる仕切壁８により複数の吸込口３に仕切られている。この結果、仕切壁８と吸込継手６とは略平行な位置関係になっている（図２参照）。下ケース１の前面にはゴム等の緩衝体からなるバンパー９が装着されている（図２、図４参照）。吸込口３より吸込継手６側の上ケース１には、長手方向に沿って細長の一対の開口部１０が吸込継手６を中心として略左右対称位置に夫々形成されている。開口部１０の短手方向の幅は吸込継手６側から他端側へ向かうに従って漸次広くなるように形成されている（図１参照）。車輪７の略上半分の少なくとも吸込具ケース４と車輪７との隙間は上ケース１により覆われている（図４参照）。
【００２８】
回転ブラシ５は筒状の芯体１１と、芯体１１の外周面に装着される複数のブラシ体１２と、芯体１１の両端に配設され回動自在に支持される軸受部１３とから構成されている。芯体１１には外周面から外方へ突出する複数の突条１４が軸方向に沿って螺旋状に形成されている。突条１４の先端にはブラシ体１２が嵌合する嵌合溝１５が内方へ向けて凹設されている。ブラシ体１２は、ブラシ体１２の根元部１６を芯体１１の突条１４に形成された嵌合溝１５に嵌め込むことで装着されるようになっている。回転ブラシ５は、上ケース１に形成された開口部１０から吸込具ケース４内に取り込まれる空気が、突条１４に吹き付けられることにより回転駆動する。この回転ブラシ５が回転することによりふとん等の柔らかい被掃除面に埋没している塵埃等を叩き出して、吸込口３から効果的に吸込まれることにより効率よく掃除できるようになっている。吸込口３の短手方向の幅Ａは回転ブラ
シ５の径Ｂよりも狭くなるように形成されている（図６参照）。
【００２９】
第１実施形態のふとん用吸込具を使用してふとん等の柔らかい被掃除面を掃除した場合、柔らかい被掃除面が吸込口３に吸い付こうとするが、上ケース１に形成されている開口部１０を介して吸込具ケース４内に取り入れた空気により柔らかい被掃除面を押戻す力が作用するため、柔らかい被掃除面が吸込口３に吸い付くことを抑制することができる。
【００３０】
また、吸込口３は仕切壁８により複数の吸込口３に仕切られているため、柔らかい被掃除面が吸込口３に吸い付くことを抑制することができる。さらに、仕切壁８は吸込継手６と略平行となる位置関係に形成されているため、ふとん用吸込具の操作性を向上させることができる。
【００３１】
また、上ケース１に形成されている開口部１０を介して吸込具ケース４内に取り入れた空気により回転ブラシ５が回転するため、柔らかい被掃除面が吸込口３に吸い付くことを抑制することができる。さらに、吸込口３に吸い付こうとする柔らかい被掃除物は、吸込口３に連通する吸込継手６側に引張られようとするが、開口部１０は吸込口３よりも吸込継手６側に形成されているため、開口部１０を介して吸込具ケース４内に取り入れた空気により柔らかい被掃除物が吸込継手６側に引張られようとすることを抑制できる。また、この空気により回転ブラシ５も吸込継手６側から吸込口３側へ向けて回転させることができるため、柔らかい被掃除物が吸込継手６側に引張られようとすることを抑制できる。
【００３２】
また、吸込口３の短手方向の幅Ａは、回転ブラシ５の径Ｂよりも狭くなるように形成されているため、柔らかい被掃除物が吸込口３に吸い付いて吸込具ケース４内へ浸入しようとすることを回転ブラシ５により防止することができる。
【００３３】
また、開口部１０の短手方向の幅は吸込継手６側が狭く形成されているため、吸込圧が高く吸込風量が多くなる吸込継手６側の開口部１０を絞って吸込継手６側での吸込風量を少なくすることができ、吸込圧が低い他端側の開口部１０から吸込まれる風量の低下を抑制することができる。この結果、他端側の開口部１０から吸込まれる空気による柔らかい被掃除面が吸込口３に吸い付くことを抑制する作用が低下することを防止することができる。
【００３４】
さらに、開口部１０の短手方向の幅は、吸込継手６側から他端側へ向かうに従って漸次広くなるように形成されているため、開口部１０を介して吸込具ケース４内に取り入れられる空気量を長手方向に対して略均一化することができ、回転ブラシ５を円滑に回転させることができると共に、開口部１０の長手方向のどの位置においても柔らかい被掃除物が吸込口３に吸い付くことを抑制することができる。
【００３５】
従来の回転ブラシは、芯体１１の外周面にブラシ体とブラシ体と略同形に形成され風を受けるための軟質ゴムを交互に配設していたため、ふとんやソファーを掃除する際に、軟質ゴムにより被掃除面を傷付ける虞があった。
【００３６】
そこで、第１実施形態では、芯体１１の外周面に風を受けるための突条１４を形成すると共に、突条１４にブラシ体１２を装着する構成にしている。そしてこの構成により、被掃除面に接触するのはブラシ体１２だけであるため、被掃除面の傷付きを防止することができる。また、ブラシ体１２の長さは短くて済むのでブラシ体１２のコストを低減させることができる。また、突条１４に当たった空気の一部は突条１４に沿って突条１４の先端部方向へ流れる気流が発生するため、この気流によりブラシ体１２に付着した糸屑等のごみを除去することができる。さらに、毛足の長い毛布等を掃除する際、毛足の先端がブラシ体１２に近接してブラシ体１２の先端に強い負荷がかかるが、ブラシ体１２の先端は突
条１４と芯体１１との間の空間に逃げるため、ブラシ体１２の先端の損傷を防止することができる。
【００３７】
ふとん等の柔らかい被掃除面を掃除している時、吸込具ケース４と車輪７との間の隙間に柔らかい被掃除物が挟み込まれ、車輪７の回動と共に柔らかい被掃除物が車輪７に絡み付く虞があるが、吸込具ケース４と車輪７との間の隙間の一部は、上ケース１によって覆われているため、吸込具ケース４と車輪７との間の隙間に挟み込まれた柔らかい被掃除物がこの隙間を覆う上ケース１に当接することによって、柔らかい被掃除物が車輪７に絡み付くことが防止される。
【００３８】
尚、上ケース１は図７に示すように吸込具ケース４と車輪７との間の隙間を覆うと共に、車輪７全体の略上半分を覆う形状にしてもよい。この形状でも同様な作用効果を奏する。
【００３９】
また、吸込具ケース４と車輪７との間の隙間を覆うカバーとして上ケース１を兼用したが、上ケース１とは別に吸込具ケース４と車輪７との間の隙間を覆うカバーを設けてもよい。
【００４０】
また、仕切壁８は吸込口８の短手方向に形成したが、その他の方向に形成してもよい。
【００４１】
（第２実施形態）
図８及乃至図１０は本発明の第２実施形態を示している。尚、第１実施形態と同一部品については同一符号を付して説明を省略します。
【００４２】
図８に示すようにふとん用吸込具の前方を床面に押し付けると共に後方を持ち上げた場合、開口部１０から吸込具ケース４内へ取り込まれる空気により回転ブラシ５を回転させると共に、吸込口３の後方から吸込具ケース４内へ取り込まれる空気によっても回転ブラシ５を同じ方向に回転させる力が作用するため、回転ブラシ５が高速回転して回転音が大きくなる問題があった。
【００４３】
そこで、第２実施形態のふとん用吸込具には、吸込口３より前方位置に下ケース１の下面から前方へ向けて突出する突起１７が複数形成されている。この構成により図９に示すようにふとん用吸込具の前方を床面に押し付けると共に後方を持ち上げた場合でも、突起１７によって吸込口３の前方と被掃除面との間に隙間を形成することができるため、吸込口３の前方から吸込具ケース４内へ取り込まれる空気によって、回転ブラシ５が高速回転することが抑制される。この結果、ふとん用吸込具の前方を床面に押し付けると共に後方を持ち上げた場合の回転ブラシ５の回転音を低減化することができる。
【００４４】
（第３実施形態）
図１１及び図１２は本発明の第３実施形態を示している。尚、第１実施形態及び第２実施形態と同一部品については同一符号を付して説明を省略します。
【００４５】
第３実施形態のふとん用吸込具は、第１実施形態のふとん用吸込具から回転ブラシ５を取り除いた構成になっている。そして、この構成により第１実施形態と同様にふとん等の柔らかい被掃除面を掃除した場合、柔らかい被掃除面が吸込口３に吸い付こうとするが、上ケース１に形成されている開口部１０を介して吸込具ケース４内に取り入れた空気により柔らかい被掃除面を押戻す力が作用するため、柔らかい被掃除面が吸込口３に吸い付くことを抑制することができる。また、吸込口３は仕切壁８により複数の吸込口３に仕切られているため、柔らかい被掃除面が吸込口３に吸い付くことを抑制することができる。さらに、吸込口３に吸い付こうとする柔らかい被掃除物は、吸込口３に連通する吸込継手６
側に引張られようとするが、開口部１０は吸込口３よりも吸込継手６側に形成されているため、開口部１０を介して吸込具ケース４内に取り入れた空気により柔らかい被掃除面が吸込継手６側に引張られようとすることを抑制できる。
【図面の簡単な説明】
【００４６】
【図１】本発明を実施するための最良の第１実施形態のふとん用吸込具の平面図である。
【図２】同ふとん用吸込具の裏面図である。
【図３】同ふとん用吸込具の側面図である。
【図４】同ふとん用吸込具の正面図である。
【図５】同ふとん用吸込具の裏面図で、下ケースを取外した状態を示す。
【図６】同ふとん用吸込具の側断面図で、柔らかい被掃除面を掃除した状態を示す。
【図７】同ふとん用吸込具の正面図で、上ケースの変形例を示す。
【図８】本発明を実施するための最良の第２実施形態のふとん用吸込具の側断面図で、従来のふとん用吸込具が有する欠点の状態を示す。
【図９】同ふとん用吸込具の側断面図である。
【図１０】同ふとん用吸込具の裏面図である。
【図１１】本発明を実施するための最良の第２実施形態のふとん用吸込具の側断面図である。
【図１２】同ふとん用吸込具の裏面図である。
【符号の説明】
【００４７】
１    上ケース
２    下ケース
３    吸込口
４    吸込具ケース
５    回転ブラシ
６    吸込継手
８    仕切壁
１０  開口部
【図１】
2005177124.tif 000003
【図２】
2005177124.tif 000004
【図３】
2005177124.tif 000005
【図４】
2005177124.tif 000006
【図５】
2005177124.tif 000007
【図６】
2005177124.tif 000008
【図７】
2005177124.tif 000009
【図８】
2005177124.tif 000010
【図９】
2005177124.tif 000011
【図１０】
2005177124.tif 000012
【図１１】
2005177124.tif 000013
【図１２】
2005177124.tif 000014